(57)【特許請求の範囲】
【請求項１】
保護継電器であって、
前記保護継電器の動作を点検するために定期的に取得されるデータを時系列データとして記憶するとともに、当該時系列データが取得された後に前記保護継電器に障害が発生した場合に、障害が発生したことを示すデータを当該時系列データに対応付けて記憶する手段と、
記憶された前記時系列データのうち、最近のデータ取得の時点から所定期間前の時点以降の時系列データを含む第１データ群と、前記第１データ群以外の第２データ群に含まれる、前記障害の発生した時点から所定期間前までの第１時系列データ及び前記保護継電器の稼動開始時又は再稼動開始時から所定期間後までの第２時系列データのそれぞれとの間において、所定の度合い以上の相関があるか否かを判定する手段と、
前記第１データ群と、前記第２データ群のうち、前記第１時系列データとの間に前記相関があり、かつ、前記障害が発生したことを示すデータが、当該第１時系列データに対応付けて記憶されている場合に、当該保護継電器に障害が発生する可能性があると予測する手段と、
前記第１データ群と、前記第２データ群のうち、前記第２時系列データとの間に前記相関があり、かつ、前記障害が発生したことを示すデータが、当該第２時系列データに対応付けて記憶されていない場合に、当該保護継電器は正常であると判断する手段と、
を備えることを特徴とする保護継電器。
【請求項２】
請求項１に記載の保護継電器であって、
前記保護継電器に障害が発生する可能性があると予測されることを出力する手段
をさらに備えることを特徴とする保護継電器。
【請求項３】
請求項２に記載の保護継電器であって、
前記第１データ群の時刻と、前記第２データ群の時刻と、当該第２データ群の後に前記保護継電器に障害が発生した時刻とに基づいて、今後前記保護継電器に障害が発生する時刻を予測する手段と、
予測した前記保護継電器に障害が発生する時刻を出力する手段と、
をさらに備えることを特徴とする保護継電器。
【請求項４】
請求項１ないし請求項３のいずれか一項に記載の保護継電器であって、
前記データは、電源の出力電圧、送電系統の交流電圧を直流に変換した電圧、試験電流、試験電圧又は動作時間である
ことを特徴とする保護継電器。
【発明の詳細な説明】
【技術分野】
【０００１】
本発明は、点検記録を保存する機能及び障害を予測する機能を備えた保護継電器に関する。
【背景技術】
【０００２】
従来、保護継電器の点検記録は紙面で管理されており、そのうちの多くの記録が電力会社の事務所のキャビネット内に保管されている。そして、保護継電器を点検する際には、その時の点検項目の変化のトレンドを過去の点検結果と比較検討するために、過去の記録を保管箇所から取り出して、点検場所まで持って行く。このような点検作業は、３年から６年に１回程度実施される。
【０００３】
なお、特許文献１には、継電器を含む制御回路について、実際の動作状態と、予め記憶された過去の動作状態とを比較し、動作パターンが異なることを条件に継電器の故障を検出する技術が開示されている。
【先行技術文献】
【特許文献】
【０００４】
【特許文献１】特開平８−５４４３２号公報
【発明の概要】
【発明が解決しようとする課題】
【０００５】
ところで、上記した従来の点検作業では、点検記録が紙面であるため、次のような問題がある。  
（１）その時の点検結果を含めた過去のトレンドを、グラフ等の視認性の高い様式で即座に確認できない。  
（２）トレンドを確認するには、ＰＣ（Personal Computer）等に点検結果を入力し、表計算ソフトを起動し、グラフ表示をする必要があり、手間がかかる。  
（３）事務所内で紙をファイリングするのに場所をとり、手間もかかるとともに、緊急対応時等、過去の点検記録が急遽必要な時に、見つけ出すまでに時間がかかることがある。  
（４）持ち運びにも手間がかかり、事務所から点検場所まで移動する途中で紛失するおそれがある。  
（５）点検作業を実施する時期の間隔が長く、点検項目の特性傾向を詳細に把握することができない。
【０００６】
以上によると、点検記録が紙面であるためすぐには過去のトレンドを確認できず、かつ、点検時期の間隔が長いため詳細なトレンドを把握できないので、将来的な障害の予測が困難である。  
また、特許文献１に開示されているのは、接点のオン・オフ状態から故障を検知する技術であり、電流や電圧等の測定値から将来の故障を予測するような機能は備えていない。
【０００７】
本発明は、上記課題を鑑みてなされたものであり、その主たる目的は、将来の障害の発生が予測可能な保護継電器を提供することにある。
【課題を解決するための手段】
【０００８】
上記課題を解決するために、本発明は、保護継電器であって、前記保護継電器の動作を点検するために定期的に取得されるデータを時系列データとして記憶するとともに、当該時系列データが取得された後に前記保護継電器に障害が発生した場合に、障害が発生したことを示すデータを当該時系列データに対応付けて記憶する手段と、記憶された前記時系列データのうち、最近のデータ取得の時点から所定期間前の時点以降の時系列データを含む第１データ群と、前記第１データ群以外の第２データ群に含まれる、前記障害の発生した時点から所定期間前までの第１時系列データ及び前記保護継電器の稼動開始時又は再稼動開始時から所定期間後までの第２時系列データのそれぞれとの間において、所定の度合い以上の相関があるか否かを判定する手段と、前記第１データ群と、前記第２データ群のうち、前記第１時系列データとの間に前記相関があり、かつ、前記障害が発生したことを示すデータが、当該第１時系列データに対応付けて記憶されている場合に、当該保護継電器に障害が発生する可能性があると予測する手段と、前記第１データ群と、前記第２データ群のうち、前記第２時系列データとの間に前記相関があり、かつ、前記障害が発生したことを示すデータが、当該第２時系列データに対応付けて記憶されていない場合に、当該保護継電器は正常であると判断する手段と、を備えることを特徴とする。
この構成によれば、保護継電器に発生する障害を事前に予測することができる。
【０００９】
また、本発明は、上記保護継電器において、前記保護継電器に障害が発生する可能性があると予測されることを出力する手段をさらに備えることとしてもよい。  
この構成によれば、保護継電器に障害発生の可能性があることが出力されるので、保護継電器の管理者は、実際に障害が発生するまでの間に、当該保護継電器を修理する等の対応をとることができる。
【００１０】
また、本発明は、上記保護継電器において、前記第１データ群の時刻と、前記第２データ群の時刻と、当該第２データ群の後に前記保護継電器に障害が発生した時刻とに基づいて、今後前記保護継電器に障害が発生する時刻を予測する手段と、予測した前記保護継電器に障害が発生する時刻を出力する手段と、をさらに備えることとしてもよい。  
この構成によれば、保護継電器の障害発生時刻が予測され、出力されるので、保護継電器の管理者は、修理等の作業日程を計画することができる。
【００１２】
また、本発明は、上記保護継電器において、前記データが、電源の出力電圧、送電系統の交流電圧を直流に変換した電圧、試験電流、試験電圧又は動作時間であることとしてもよい。
【００１３】
その他、本願が開示する課題及びその解決方法は、発明を実施するための形態の欄、及び図面により明らかにされる。
【発明の効果】
【００１４】
本発明によれば、将来の障害の発生が予測可能な保護継電器を提供することができる。
【図面の簡単な説明】
【００１５】
【図１】保護継電器１及びその周辺の構成を示す図である。
【図２】保護継電器１の記憶部１２に記憶されるデータの構成を示す図であり、（ａ）は記憶部１２のデータの構成を示し、（ｂ）は点検データ１２Ｄの構成を示し、（ｃ）は計測データ１２Ｅの構成を示し、（ｄ）は過去データ１２Ｆの構成を示す。
【図３】保護継電器１の処理を示すフローチャートである。
【図４】出力電圧値の時間的変化をグラフで表示した画面を示す図であり、（ａ）は最近の電源ユニット１５の出力電圧値のトレンドを表示したものであり、（ｂ）は過去に障害が発生した際の電源ユニット１５の出力電圧値のトレンドを表示したものであり、（ｃ）は最近のアナログデジタル変換器Ａ／Ｄの出力電圧値のトレンドを表示したものであり、（ｄ）は過去に障害が発生した際のアナログデジタル変換器Ａ／Ｄの出力電圧値のトレンドを表示したものである。
【発明を実施するための形態】
【００１６】
以下、図面を参照しながら、本発明を実施するための形態を説明する。本発明の実施の形態に係る保護継電器は、自動及び手動によるものを含む点検結果のデータを保存し、過去の障害発生時を含むデータの時間的変化を記憶しておき、最近のデータが、過去の障害発生時のデータと相関の高い時間的変化を示す場合に、「障害発生の可能性がある」ことを予測し、出力するものである。
【００１７】
≪保護継電器及びその周辺の構成と概要≫
図１は、保護継電器１及びその周辺の構成を示す図である。送電系統Ｌ１は変電所から電力供給される母線である。給電線Ｌ２は送電系統Ｌ１につながり、送電系統Ｌ１から電力供給を受けて、配下に設置された電力機器６に給電する。遮断器３は、給電線Ｌ２上に設置され、保護継電器１から遮断指令信号を受信して、給電線Ｌ２を遮断する。電流センサ４は、給電線Ｌ２上に設置され、給電線Ｌ２を流れる電流を計測し、保護継電器１に伝達する。電圧センサ５は、送電系統Ｌ１上に設置され、送電系統Ｌ１の電圧を計測し、保護継電器１に伝達する。電力機器６は、電力を消費する負荷であり、給電線Ｌ２から電力供給を受ける。保護継電器１は、遮断器３、電力センサ４及び電圧センサ５に接続され、電流センサ４から給電線Ｌ２の電流を入力し、電圧センサ５から送電系統Ｌ１の電圧を入力し、過電流又は過電圧を検知すると、遮断器３に遮断指令信号を送信する。試験装置２は、保護継電器１の特性や動作の試験（点検）を行う際に保護継電器１に接続される。
【００１８】
保護継電器１は、電圧、電流、周波数等のテレメータから送電系統Ｌ１及び給電線Ｌ２の異常を検知して、遮断器１に遮断指令信号を出して、事故点を停電状態にする。これにより、給電線Ｌ２につながる電力機器６が故障になるのを未然に防ぐことができる。図１に示すように、保護継電器１は、アナログフィルタＡＦ１及びＡＦ２、交直変換器ＩＴ１及びＩＴ２、サンプルホールド回路Ｓ／Ｈ、アナログデジタル変換器Ａ／Ｄ、処理部１１、記憶部１２、表示部１３、外部インタフェース部１４及び電源ユニット１５を備える。
【００１９】
アナログフィルタＡＦ１は、電流センサ４から給電線Ｌ２の交流電流を入力し、その交流電流から所定の直流成分を取り出して出力する。アナログフィルタＡＦ２は、電圧センサ５から送電系統Ｌ１の交流電圧を入力し、その交流電圧から所定の直流成分を取り出して出力する。交直変換器ＩＴ１は、アナログフィルタＡＦ１から交流電流を入力し、直流電流に変換し、出力する。交直変換器ＩＴ２は、アナログフィルタＡＦ２から交流電圧を入力し、直流電圧に変換し、出力する。サンプルホールド回路Ｓ／Ｈは、交直変換器ＩＴ１及びＩＴ２から直流電流及び直流電圧のアナログ信号を入力して標本化（サンプリング）し、一定時間保持（ホールド）する回路である。すなわち、変化するアナログ信号の瞬間値を維持して、アナログデジタル変換器Ａ／Ｄが正確な変換処理を実行できるようにする。アナログデジタル変換器Ａ／Ｄは、サンプルホールド回路Ｓ／Ｈからアナログ信号を入力し、デジタル信号に変換し、処理部１１に出力する。
【００２０】
処理部１１は、各部間のデータの受け渡しを行うととともに、保護継電器１全体の制御を行うものであり、ＣＰＵ（Central Processing Unit）が記憶部１２に格納されたプログラムを実行することによって実現される。処理部１１による処理としては、アナログデジタル変換器Ａ／Ｄから直流電圧のデジタル信号を入力し、電源ユニット１５から直流の出力電圧を入力し、試験装置２から外部インタフェース部１４経由で点検データを入力し、各入力データを記憶部１２に記憶し、各入力データの時間的変化を表示部１３に表示する。そして、記憶部１２に記憶された過去のデータや整定値と比較して、保護継電器１が障害になる可能性があると判断した場合に、警報を表示部１３に表示する。
【００２１】
記憶部１２は、処理部１１からデータを記憶したり、記憶したデータを読み出したりするものであり、例えば、フラッシュメモリやハードディスク装置等の不揮発性記憶装置によって実現される。表示部１３は、処理部１１からの指示によりデータを表示する部分であり、例えば、液晶ディスプレイ（ＬＣＤ：Liquid Crystal Display）等によって実現される。外部インタフェース部１４は、試験装置２及び遮断器３と、処理部１１との間にあって、試験装置２と処理部１１間、遮断器３と処理部１１間のデータ送受信を中継する。電源ユニット１５は、保護継電器１の直流の主電源であり、電源状態の監視を受けるために、電源の電圧値を処理部１１に随時出力する。
【００２２】
試験装置２は、保護継電器１を点検する際に、アナログフィルタＡＦ１及びＡＦ２、外部インタフェース部１４の外部端子に接続される。次に、試験装置２に備わる処理部２１が、保護継電器１のアナログフィルタＡＦ１の外部端子に試験電流を流し、アナログフィルタＡＦ２の外部端子に試験電圧を印加する。その電流及び電圧の投入を所定時間だけ継続し、出力を停止した時刻を記憶する。そして、保護継電器１の外部インタフェース部１４から遮断指令信号を受信し、その受信した時刻を記憶する。信号受信時刻から出力停止時刻を減算することにより、保護継電器１の動作時間を算出し、記憶する。その後、試験電流、試験電圧、継続時間及び動作時間を点検データとして外部インタフェース部１４に送信する。
【００２３】
≪データの構成≫
図２は、保護継電器１の記憶部１２に記憶されるデータの構成を示す図である。図２（ａ）は、記憶部１２のデータの構成を示す。記憶部１２は、プログラム１２Ａ、基本データ１２Ｂ、整定値データ１２Ｃ、点検データ１２Ｄ、計測データ１２Ｅ及び過去データ１２Ｆを記憶する。プログラム１２Ａは、処理部１１にロードされ、実行されることによって、保護継電器１の機能を実現するプログラムである。基本データ１２Ｂは、プログラム１２Ａを実行するために必要最小限のデータであり、ＩＰＬ（Initial Program Loader）やＯＳ（Operating System）等が参照、更新する制御データである。整定値データ１２Ｃは、保護継電器１の整定された動作の基準値であり、例えば、電源出力値、動作電流値、動作電圧値や動作時間等である。点検データ１２Ｄは、試験装置２により実施された点検に関するデータであり、試験装置２から保護継電器１に転送されたものである。計測データ１２Ｅは、電源ユニット１５及びアナログデジタル変換器Ａ／Ｄから取得した電圧データである。過去データ１２Ｆは、点検データ１２Ｄ及び計測データ１２Ｅの履歴を時系列に記録したデータである。
【００２４】
図２（ｂ）は、点検データ１２Ｄの構成を示す。点検データ１２Ｄは、試験電流１２Ｄ１、試験電圧１２Ｄ２、継続時間１２Ｄ３及び動作時間１２Ｄ４を含む。試験電流１２Ｄ１は、点検時に試験装置２から保護継電器１に投入された電流の値である。試験電圧１２Ｄ２、点検時に試験装置２から保護継電器１に投入された電圧の値である。継続時間１２Ｄ３は、電流及び電圧の投入を継続した時間である。動作時間１２Ｄ４は、保護継電器１が試験装置２から電流及び電圧の投入を受けてから、遮断指令信号を出力するまでの時間である。
【００２５】
図２（ｃ）は、計測データ１２Ｅの構成を示す。計測データ１２Ｅは、電源出力電圧１２Ｅ１、交直変換電圧１２Ｅ２及び交直変換電流１３Ｅ３を含む。電源出力電圧１２Ｅ１は、電源ユニット１５が随時出力する電源電圧の値である。交直変換電圧１２Ｅ２は、アナログデジタル変換器Ａ／Ｄが随時出力する、送電系統Ｌ１の交流電圧を直流電圧に変換した値である。交直変換電流１２Ｅ３は、アナログデジタル変換器Ａ／Ｄが随時出力する、給電線Ｌ２の交流電流を直流電流に変換した値である。なお、電源出力電圧１２Ｅ１、交直変換電圧１２Ｅ２及び交直変換電流１２Ｅ３は、例えば、保護継電器１の稼動開始時又は障害復旧による再稼動開始時からのデータが保持される。
【００２６】
図２（ｄ）は、過去データ１２Ｆの構成を示す。過去データ１２Ｆは、正常データ１２Ｆ１と、障害データ１２Ｆ２とに区分される。正常データ１２Ｆ１は、点検データ１２Ｄ及び計測データ１２Ｅの時系列データのうち、その後に障害が発生していないデータである。障害データ１２Ｆ２は、点検データ１２Ｄ及び計測データ１２Ｅの時系列データのうち、その後に障害が発生したデータ（請求項における「前記障害が発生したことを示すデータが、前記第２データ群に含まれる時系列データに対応付けて記憶されている場合」の時系列データに相当）である。従って、時系列データは、正常な状態が続く間は正常データ１２Ｆ１として蓄積されるが、障害が発生した時にはその時点までのデータが正常データ１２Ｆ１から変更されて障害データ１２Ｆ２として再記憶される。なお、正常データ１２Ｆ１及び障害データ１２Ｆ２は、例えば、保護継電器１の稼動開始時又は障害復旧による再稼動開始時から取得したデータが記録される。また、正常データ１２Ｆ１から障害データ１２Ｆ２として再記憶される範囲は、保護継電器１の稼動開始時又は障害復旧による再稼動開始時から取得したデータすべてではなく、障害発生時から規定時間前までとしてもよい。規定時間は障害種別によるが、定期点検のタイミング等を区切りとしてもよい。この場合、規定時間以前のデータは、継続して正常データ１２Ｆ１として保存される。
【００２７】
≪保護継電器の処理≫
図３は、保護継電器１の処理を示すフローチャートである。本処理は、例えば１〜１０日に１回の自動点検として行われ、計測データや点検データを取得し、記憶し、現在を含む最近の時間的変化を表示するともに、過去データや整定値データと比較し、障害発生の可能性があると予測した場合に、その旨を表示するものである。なお、試験装置２による保護継電器１の点検の結果は、点検が実施される度に試験装置２から保護継電器１の外部インタフェース部１４に送信され、処理部１１により外部インタフェース部１４から記憶部１２の点検データ１２Ｄに記憶される。また、保護継電器１の処理部１１は、本処理とは別に、送電系統Ｌ１の過電圧や給電線Ｌ２の過電流を検知した場合には、外部インタフェース部１４経由で遮断器３に遮断指令信号を送信する処理を行う。
【００２８】
まず、保護継電器１の電源（電源ユニット１５）が投入されると、記憶部１２に記憶されたプログラム１２Ａが処理部１１にロードされ、処理が実行される。そして、保護継電器１では、自動点検を実行すべきことを示すトリガが入ると、処理部１１が、電源ユニット１５から電源出力電圧を取得し、アナログデジタル変換器Ａ／Ｄから交直変換電圧及び交直変換電流を取得し、記憶部１２の計測データ１２Ｅの電源出力電圧１２Ｅ１、交直変換電圧１２Ｅ２及び交直変換電流１２Ｅ３としてそれぞれ記憶する（Ｓ３０１）。次に、数回分が保持されている計測データ１２Ｅを記憶部１２から読み出して、計測データ１２Ｅの時間的な変化を表示部１３に表示する（Ｓ３０２）。
【００２９】
図４は、出力電圧値の時間的変化をグラフで表示した画面を示す図である。図４（ａ）は、最近の電源ユニット１５の出力電圧値のトレンド（時間的変化）を表示したものである。図４（ｂ）は、過去に障害が発生した際の電源ユニット１５の出力電圧値のトレンドを表示したものであり、記憶部１２の過去データ１２Ｆのうち、障害データ１２Ｆ２に含まれるデータが用いられる。図４（ｃ）は、最近のアナログデジタル変換器Ａ／Ｄの出力電圧値のトレンドを表示したものである。図４（ｄ）は、過去に障害が発生した際のアナログデジタル変換器Ａ／Ｄの出力電圧値のトレンドを表示したものであり、記憶部１２の過去データ１２Ｆのうち、障害データ１２Ｆ２に含まれるデータが用いられる。なお、図４（ａ）〜（ｄ）の画面は、操作者の操作により切り替えて表示してもよいし、１つの画面にまとめて表示してもよい。
【００３０】
保護継電器１の管理者は、表示部１２に表示された現在のトレンド（第１データ群）を参照し、自らの見識により保護継電器１が正常か、障害になりそうかを判断してもよいし、表示部１２に表示された現在のトレンドと、過去に発生した障害時のトレンド（第２データ群）とを見比べることにより判断してもよい。
【００３１】
続いて、保護継電器１の処理部１１は、記憶部１２の計測データ１２Ｅと、過去データ１２Ｆとを照合する（Ｓ３０３）。その照合の結果、計測データ１２Ｅと類似する過去データ１２Ｆがあり、かつ、類似する過去データ１２Ｆが障害データ１２Ｆ２である場合には（Ｓ３０４のＹ）、障害発生の可能性を警告する旨を表示部１３に表示する（Ｓ３０５）。類似する過去データ１２Ｆがない、又は、類似する過去データ１２Ｆが正常データ１２Ｆ１である場合には（Ｓ３０４のＮ）、Ｓ３０５の処理をスキップする。なお、類似する過去データ１２Ｆが正常データ１２Ｆ１である場合には、現時点で正常な状態であると判断し、その旨を表示部１３に表示するようにしてもよい。また、正常データ１２Ｆ１の中にも、障害データ１２Ｆ２の中にも、所定以上の相関が認められるデータがある場合は、障害データ１２Ｆ２の中に類似データがある場合の処理を優先し、障害発生の可能性を警告する。
【００３２】
ここで、「類似する」とは、現在のトレンドと、過去のトレンドとの間に、所定以上の度合いの相関が認められることをいい、例えば、２つのトレンドの相関係数を計算し、その相関係数が所定の基準値以上である場合に、類似すると判定する。そして、２つのトレンドの間に相関が認められれば、現在は「障害発生前」であり、しばらくすると障害が発生することが予測される。なお、相関係数の算出にあたっては、現在のトレンドと、過去のトレンドとの時間軸をずらしながら、相関係数を計算し、その結果最も大きい計算値を２つのトレンドの相関係数として採用してもよい。
【００３３】
障害内容について詳述すると、計測データ１２Ｅのうち、電源出力電圧１２Ｅ１が障害データ１２Ｆ２に類似している場合には、電源ユニット１５に障害の発生が予測されることを示す。このとき、保護継電器１全体が動作しなくなる可能性があり、電源ユニット１５の交換が必要なことを警告する。また、計測データ１２Ｅのうち、交直変換電圧１２Ｅ２が障害データ１２Ｆ２に類似している場合には、送電系統Ｌ１の交流電圧を直流電圧に変換した結果が、正常値である０〜５Ｖの範囲から外れつつあることを示す。このとき、保護継電器１の事故検出能力が低下しつつあり、交直変換器ＩＴ２等の交換が必要なことを警告する。さらに、障害発生の可能性を警告する表示だけでなく、現在のトレンドと類似する過去の障害発生時のトレンドにより、障害に至った時の電圧になる時刻を予測し、予測される障害発生時刻として表示部１２に表示するようにしてもよい。例えば、過去における障害発生時刻から、過去のトレンドにおいて現在時刻に対応する時刻を減算し、その減算値である時間を現在時刻に加算することより、今後予測される障害発生時刻を求めることができる。
【００３４】
次に、保護継電器１の処理部１１は、新たな点検データ１２Ｄが記憶部１２に記憶されているか否かを判定する（Ｓ３０６）。これは、点検データ１２Ｄが試験装置２を用いた点検により得られるデータであり、Ｓ３０１の計測データ１２Ｅよりも取得間隔が長いので、点検データ１２Ｄが更新されているか否かを確認するものである。新たな点検データ１２Ｄがあれば（Ｓ３０６のＹ）、点検データ１２Ｄの時間的変化を表示部１３に表示する（Ｓ３０７）。保護継電器１の管理者は、点検データ１２Ｄの時間的変化を参照して、自らの見識により正常か、障害になりそうかを判断してもよいし、現在のトレンドと、過去に発生した障害時のトレンドとを比較して判断してもよい。
【００３５】
続いて、保護継電器１の処理部１１は、整定値データ１２Ｃから逸脱する可能性が高い点検データ１２Ｄがあるか否かを判定する（Ｓ３０８）。そして、該当する点検データ１２Ｄがあれば（Ｓ３０８のＹ）、障害発生の可能性を警告する旨又は整定値を見直す必要があることを表示部１３に表示し（Ｓ３０９）、Ｓ３０１の処理に戻る。ここで、「逸脱」というのは、整定値から±α（α：所定値）の間に含まれないことをいい、「逸脱する可能性が高い」というのは、その時点までの時間的な変化を延長して将来の値を予測したときに整定値との差がαより大きくなる可能性が高いと判断されることをいう。例えば、点検データ１２Ｄのうち、試験電流１２Ｄ１又は試験電圧１２Ｄ２が整定値から逸脱する可能性が高いというのは、保護継電器１が動作した電流又は電圧が整定値より小さすぎたり、大きすぎたりして、しばらくすると整定値との差がαを超えると予測されることを示し、保護継電器１が敏感に反応するか、鈍重に反応するかのいずれかであることを示す。このとき、保護継電器１の事故検出能力が低下しつつあること又は整定値を見直す必要があることを警告する。また、点検データ１２Ｄのうち、動作時間１２Ｄ４が整定値から逸脱する可能性の高いというのは、保護継電器１に試験電流又は試験電圧が投入されてから遮断指令が発せられるまでの時間が長く、しばらくすると整定値との差がαより長くなると予測されることを示す。このとき、遮断器３への遮断指令信号が遅延する可能性があることを警告する。なお、点検データ１２Ｄについても、計測データ１２Ｅと同様に、保護継電器１の稼動開始時又は障害復旧による再稼動開始時からのデータが保持され、現在のトレンドと、過去のトレンドとを比較、照合して、相関の有無を判断してもよい。この場合、例えば、動作時間１２Ｄ４は、時間が経つにつれて徐々に延びる傾向になる。
【００３６】
新たな点検データ１２Ｄがない場合（Ｓ３０６のＮ）又は整定値から逸脱する可能性の高い点検データ１２Ｄがない場合（Ｓ３０８のＮ）には、保護継電器１の処理部１１は、Ｓ３０９の処理をスキップし、Ｓ３０１の処理に戻る。
【００３７】
なお、上記実施の形態では、図１に示す保護継電器１内の各部品を機能させるために、処理部１１で実行されるプログラムをコンピュータにより読み取り可能な記録媒体に記録し、その記録したプログラムをコンピュータに読み込ませ、実行させることにより、本発明の実施の形態に係る保護継電器１が実現されるものとする。この場合、プログラムをインターネット等のネットワーク経由でコンピュータに提供してもよいし、プログラムが書き込まれた半導体チップ等をコンピュータに組み込んでもよい。
【００３８】
以上説明した本発明の実施の形態によれば、保護継電器１の故障を事前に把握することができる。点検記録が保護継電器１の記憶部１２に記憶されるので、事務所における煩雑なファイリング作業をなくすことができる。最近の所定期間分の点検データ１２Ｄ及び計測データ１２Ｅが記憶され、さらに過去データ１２Ｆが記憶されるので、各部品の特性傾向を容易かつ詳細に把握することができる。
【００３９】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００４０】
（１）上記実施の形態では、計測データ１２Ｅや点検データ１２Ｄと、過去データ１２Ｆとを比較、照合し、類似した場合に、その類似した過去データが障害データである否かを判定するように記載したが、１つの項目だけでなく、２つの項目又はそれ以上の項目がＮＧだった場合に、障害発生のおそれがあると予測するようにしてもよい。また、１回の判定ではなく、例えば、所定の時間間隔を空けた３回以上の判定ですべてＮＧだった場合に、障害発生のおそれがあると予測するようにしてもよい。これによれば、いずれの場合も、誤判定の可能性を排除し、障害判定の信頼性を高めることができる。
【００４１】
（２）上記実施の形態では、保護継電器１の記憶部１５に記憶された過去データ１２Ｆが、正常データ１２Ｆ１と、障害データ１２Ｆ２とに分かれているように記載したが、別の形式で記憶されていてもよい。例えば、過去における出力電圧等のデータが時系列に記憶されていて、さらに電源ユニット５等の部品に障害が発生した時刻が記憶されていてもよい。この場合、過去の時系列データ上に現在のトレンド（計測データ１２Ｅ）と類似する部分があり、かつ、その部分の後に当該データに関連する部品の障害が発生していれば、現在は「障害発生前」であり、もうすぐ当該部品の障害が発生する可能性があると予測する。一方、過去の時系列データ上に現在のトレンドと類似する部分があり、かつ、その部分の後に当該データに関連する部品の障害が発生していなければ、当該部品は正常であると判断する。
【００４２】
（３）上記実施の形態では、現在のトレンドや障害発生の警告を保護継電器１の表示部１３に表示するように記載したが、他の機器に出力するようにしてもよい。例えば、保護継電器１の付近に設置された大型のメインモニタに表示してもよいし、ネットワークを介して保護継電器１の管理者が所持する携帯電話やＰＤＡ（Personal Digital Assistants）に送信するようにしてもよい。
【符号の説明】
【００４３】
１      保護継電器
１１    処理部
１２    記憶部
１２Ｄ  点検データ（データ、第１データ群）
１２Ｄ１  試験電流
１２Ｄ２  試験電圧
１２Ｄ４  動作時間
１２Ｅ  計測データ（データ、第１データ群）
１２Ｅ１  電源出力電圧（電源の出力電圧）
１２Ｅ２  交直変換電圧（送電系統の交流電圧を直流に変換した電圧）
１２Ｆ  過去データ（データ、第２データ群）
１２Ｆ１  正常データ
１２Ｆ２  障害データ（障害）
【図１】
0005422312.tif 000002
【図２】
0005422312.tif 000003
【図３】
0005422312.tif 000004
【図４】
0005422312.tif 000005